【事件の表示】
　平成　９年特許願第２１７５４９号「光ディスク再生装置および光ディスク記録装置」拒絶査定不服審判事件〔平成１１年　３月　９日出願公開、特開平１１−　６６６２８〕について、次のとおり審決する。
【結　論】
　本件審判の請求は、成り立たない。
【理　由】
１．手続の経緯・本願発明
　本件審判の請求に係る特許願（以下「本願」という。）は、平成９年８月12日に出願されたものであって、本願請求項１乃至４に係る各発明は、平成14年12月27日付け手続補正書によって補正された明細書の記載からみて、特許請求の範囲請求項１乃至４に記載された事項により特定されるものと認められるところ、その請求項１に係る発明の記載は、以下のとおりである。
　「【請求項１】データ信号および前記データ信号に重畳されたチャンネルクロック信号が記録された光ディスクから前記データ信号を再生するための光ディスク再生装置であって、
　前記チャンネルクロック信号と非同期で前記光ディスクを回転させるためのモータと、
　前記光ディスクに記録されたチャンネルクロック信号を再生し、その再生されたチャンネルクロック信号に応答して前記光ディスクに記録されたデータ信号を再生する再生手段とを備える、光ディスク再生装置。」（以下「本願発明」という。）
　
　
２．刊行物及びその記載
　これに対して、原査定の拒絶の理由で引用された特開平２−128363号公報（以下「刊行物」という。）には、モータのような機構系に頼らずにディスクからのデータ転送レートを一定に保つことのできる情報再生装置および情報再生方法を提供するとしてなされた情報再生装置に関する発明について、以下の記載がある。
　（i）「２．特許請求の範囲
　（１）
実質的に同一な平面上に併置された情報トラック上に周期的な成分を含む情報信号が記録された情報記録担体と、この情報記録担体から上記情報信号を読み出す再生ヘッドと、この再生ヘッドと上記情報記録担体の間の相対速度をあらかじめ定められた範囲に保つ駆動手段と、上記再生ヘッドを上記情報トラックの変動に対して追従せしめるトラック追従手段と、上記再生ヘッドの出力を受けて上記情報信号の周期性に応じた周期的信号を発生する周期的信号発生手段と、この周期的信号に応じた単位ごとに上記再生ヘッドの出力を分割する分割手段と、この分割手段の出力を格納する格納手段と、この格納手段からあらかじめ定められた割合で格納内容を読み出す読出手段と
　（２）〜（４）・・・（省略）・・・」
　(ii)「作用
　本発明の情報再生装置および情報再生方法は、上記した構成により、情報記録担体に記録された情報は記録時よりも高速で再生され、記憶手段もしくは記憶領域に格納されたうえで一定レートで読み出される。したがって、モータの回転を制御する必要がなくなるため、高速な情報検索が可能となる。」（３頁右下欄５〜12行）
　(iii)「
円盤１には螺旋状の情報トラック１ａ及び１ｂ上にＣＤフォーマットの音声情報信号がＣＬＶで記録されている。ここでＣＤフォーマットの音声情報信号とは、ＥＦＭ（８−１４変換）された１６ビットの音声データを指し、データ書き込み時における１Ｔの周期を約２３０ｎｓｅｃとしたとき、３Ｔから１１Ｔまでの整数倍の周期を取る符号を指す。また、このＥＦＭは１フレームを５８８チャネルビットごとに繰り返す周期的な構造を持つ符号である。ここに１チャネルビット＝１Ｔである
　(iv)「
駆動手段３は、円盤１を装着するモータ３ａ、このモータ３ａの回転数を検出して所望の回転数との誤差を求める回転速度検出回路３ｂ、及びこの誤差を電力増幅してモータ３ａに駆動トルクを与えるモータ駆動回路３ｃから構成され、この円盤１を常に一定角速度で回転させている
　　　　　　　　　　　・・・（中略）・・・
　また、駆動回路３ｃは、所定の速度範囲を越えたことを検出して加減速を行なうバンバン制御を行なってもよいし、空気抵抗や軸の摩擦を利用して、非制御で回転させてもよい。」（４頁右上欄５行〜同頁左下欄２行）
　(v)「再生ヘッド２から読み出された情報信号Ｓｉは、周期的信号発生手段５に送られる。
この周期的信号発生手段５は、ＥＦＭ信号がチャネルビットに対して整数倍の関係を持つことを利用して上記１Ｔ間隔の周期的な信号Ｓｃ（以下、単にこれをクロックと呼ぶ）を発生する
　さて、
分割手段６は、情報信号ＳｉをクロックＳｃのエッジごとにサンプリングし、情報信号Ｓｉを標本化データＤｉに変換して格納手段７に送る
　格納手段７は、複号回路７ｄ、ランダム・アクセス・メモリー７ａ（以下ＲＡＭ７ａと略す）、書込番地カウンタ７ｂ（以下ＷＡＣ７ｂと略す）および読出番地カウンタ７ｃ（以下ＲＡＣ７ｃと略す）から構成される。
　複号回路７ｄは標本化データＤｉを音声データに戻し、ＲＡＭ７ａに書き込む。ＷＡＣ７ｂは、クロックＳｃのパルス数を計数しながら上記音声データをＲＡＭ７ａに書き込む番地を決定する。
読出手段８は水晶発振の基準信号ＳｒをＲＡＣ７ｃに送り、ＲＡＭ７ａに格納された音声データを一定の周期で読出し、Ｄ／Ａ変換などして音声として出力する。」（４頁右下欄13行〜５頁左上欄19行）
　(vi)「発明の効果
　以上のように本発明は円盤を一定速度で回転させる駆動手段と再生ヘッドを歩進手段を設けることにより、ＣＬＶで記録された円盤を一定回転数で再生できるため、情報検索時にも、モータの回転速度を変化させる必要がないので、低消費電力化と高速アクセス化を達成でき、その実用的効果は大きい。」（７頁左上欄７〜14行）
　
　上記摘示事項においては、ＣＤフォーマットについての記載（上記(iii)参照）から、情報記録担体は、ＣＤ等の光ディスクであり、情報信号の格納手段への格納動作、格納手段からの読出動作に注目して整理すると、以下の発明が記載されているものと認める。
　「実質的に同一な平面上に併置された情報トラック上に周期的な成分を含む情報信号が記録された光ディスクと、
　光ディスクから情報信号を読み出す再生ヘッドと、
　装着された光ディスクを回転させるモータを有し、再生ヘッドと光ディスクの間の相対速度をあらかじめ定められた範囲に保つ駆動手段と、
　再生ヘッドを情報トラックの変動に対して追従せしめるトラック追従手段と、　再生ヘッドの出力を受けて、情報信号の周期性、即ち、ＣＤフォーマットの音声情報信号では、ＥＦＭ信号がチャネルビットに対して整数倍の関係を持つことを利用して１Ｔ間隔の周期的なクロック信号を発生する周期的信号発生手段と、
　再生ヘッドから出力される情報信号をクロック信号のエッジごとにサンプリングし、情報信号を標本化データに変換して出力する分割手段と、
　分割手段の出力を格納する格納手段と、
　格納手段からあらかじめ定められた割合で格納内容を読み出す読出手段と
を具備する光ディスク再生装置。」（以下「刊行物記載の発明」という。）
　
　
３．対比・判断
〔対比〕
　本願発明と刊行物記載の発明とを対比する。
　(a)いずれの発明も、光ディスクの再生時に、光ディスクを回転するモータの回転数制御に特別な制御を必要とすることなく、高速度で再生しようとする点で共通する。
　(b)刊行物記載の発明における「１Ｔ間隔の周期的なクロック信号」が、本願発明における「チャンネルクロック信号」に相当するものと認める。
　(c)本願発明では、「チャンネルクロック信号に応答して前記光ディスクに記録されたデータ信号を再生する」としているので、ここでいう「再生」動作について検討する。
　本願明細書には、再生動作について、【００２１】〜【００３４】に、図面【図５】〜【図７】を用いての記載がある。特に、図５についての記載では、チャンネルクロック信号（CC）は、ＲＦアンプ（135）からの出力をハイパスフィルタ（503）を通すことで得られるとされ、バッファメモリ（506）の書込クロック発生回路（504）に入力されている。
　これに対して、バッファメモリの読出クロック（RC）は、読出クロック発生回路（505）で発生されるとされ、しかも、読出クロック発生回路については、「チャンネルクロック信号と非同期で読出クロック信号を発生する読出クロック発生回路５０５と、・・・、そのストアされたデータ信号を読出クロック発生回路５０５からの読出クロック信号ＲＣに応答して出力するバッファメモリ５０６・・・」（【００２５】）と記載されており、バッファメモリからのデータ信号の読出し、又、これ以降の信号処理には、チャンネルクロック信号は関与していないことは明らかである。
　本願発明で、「チャンネルクロック信号に応答して前記光ディスクに記録されたデータ信号を再生する」とする「再生」動作は、バッファメモリへのデータの書込み処理についての動作を意味しているものと認める。
　一方、刊行物記載の発明では、「格納手段」（本願明細書等の「バッファメモリ」に相当していることは明らかである）に格納される信号は、「再生ヘッドから出力される情報信号をクロック信号（チャンネルクロック信号）のエッジごとにサンプリングし、情報信号を標本化データに変換して出力」された信号であり、「格納手段」（「バッファメモリ」）への情報信号の格納（書込）動作がクロック信号に応答していることは明らかである。
　とすると、刊行物記載の発明の光ディスクに記録された情報信号の格納（書込）動作が、本願発明における「再生」動作に相当し、いずれの発明も、チャンネルクロック信号に応答して、光ディスクに記録されたデータ信号（情報信号）の再生動作を行っている点で差異はない。
　(d)刊行物記載の発明における駆動手段が有する「モータ」は、再生ヘッドと光ディスクの間の相対速度をあらかじめ定められた範囲に保つものであって、ＣＬＶで記録された光ディスクを一定回転数で再生するためのものであるから（上記２．(iii)(iv)参照）、１Ｔ間隔の周期的なクロック信号、即ち、チャンネルクロック信号とは非同期で光ディスクを回転するモータであることも明らかである。
　
　結局、両発明の一致点及び相違点は以下のとおりである。
　［一致点］
「データ信号が記録された光ディスクから前記データ信号を再生するための光ディスク再生装置であって、
　チャンネルクロック信号と非同期で前記光ディスクを回転させるためのモータと、
　チャンネルクロック信号に応答して前記光ディスクに記録されたデータ信号を再生する再生手段とを備える、光ディスク再生装置。」の点。
　
　［相違点］
　(イ)チャンネルクロック信号について、本願発明が、「データ信号に重畳」されて「光ディスクに記録」されているのに対して、刊行物記載の発明では、光ディスクに記録された情報信号の周期性を利用して周期的信号発生手段で発生している点。
　(ロ)光ディスクに記録されたデータ信号の再生動作について、本願発明では、「光ディスクに記録されたチャンネルクロック信号を再生し、その再生されたチャンネルクロック信号に応答して再生」しているのに対して、刊行物記載の発明では、周期的信号発生手段で発生したチャンネルクロック信号に応答して再生している点。
　
〔判断〕
　上記各相違点は、いずれも、本願発明において、チャンネルクロック信号が、データ信号に重畳されて光ディスクに記録されていることに起因するものである。
　そこで、刊行物記載の発明において、周期的信号発生手段で発生しているチャンネルクロック信号を、光ディスクにデータ信号に重畳させて記録することについて検討する。
　光ディスク媒体において、記録されたデータを同期して読み出す（再生する）ためのクロック信号をデータ信号に重畳して形成することは、周知（例：特開昭63−76124号公報、特開平３−84752号公報、特開平４−102230号公報、特開平６−150330号公報等参照）のことである。
　刊行物記載の発明における１Ｔ間隔のクロック信号も、結局、光ディスクに記録された情報信号を読み出す（再生する）ためのクロック信号であり、刊行物記載の発明におけるクロック信号、即ち、チャンネルクロック信号を記録されるデータ信号に重畳して光ディスク上に記録することは、当業者であれば、格別の発明力を要すことなく、必要に応じて、適宜になし得る範囲内の事項である。
　
　結局、各相違点において、本願発明が備える各要件は、刊行物記載発明においても、当業者であれば、格別の発明力を要すことなく、必要に応じて、適宜になし得る範囲内のことである。
　
　したがって、本願発明は、刊行物に記載された発明に基づいて、当業者が容易に発明し得たものと認める。
　
　
４．むすび
　以上のとおりであるから、本願請求項１に係る発明は、刊行物に記載された発明及び周知技術に基づいて当業者が容易に発明をすることができたものであるから、特許法29条第２項の規定により特許を受けることができない。
　したがって、本願は、その余の請求項について論及するまでもなく、拒絶すべきものである。
　
　よって、結論のとおり審決する。